(57)【要約】【課題】顔の形状や体感の個人差からくるところの頭部に対する弾性力の、可変、調整機能の要求課題と、応力が弾性力の一カ所に局部的に集中して破断、破損を起こしてしまうことを防ぐ。【解決手段】５で表した位置調整部に、４弾性力発生部を設け、６弾性力支点調整部ａ、７弾性力支点調整部ｂ、８弾性力支点調整部ｃの３箇所の弾性力支点調整部を統括するように、９弾性力支点調整部ｄが構成され、それぞれの弾性力の合力としての作用を得るとともに、それぞれの弾性力と支点間の距離が個別に設定されるため、鎧にかかわる応力がそれぞれの設定に応じてバランスして配分していくことを特徴とする眼鏡枠鼻あて。【選択図】図１
2006215055.tif 000002
【特許請求の範囲】
【請求項１】
眼鏡枠の顔に対するフイット調整部分に関して、単数あるいは複数の弾性力発生部と弾性力支点調整部を組合せ構成した上で、弾性力作用部において、弾性力の合力としての弾性力を得るとともに、支点リングの有無と支点リング位置の確定により弾性力可変作用を得、同時に構造全体において位置調整作用を得たことを特徴とする、複合弾性力を備えた眼鏡枠。
【発明の詳細な説明】
【技術分野】
【０００１】
本発明は、眼鏡枠の弾性作用と位置調整作用が同時に必要とされる部分に関するものである。
【背景技術】
【０００２】
眼鏡枠の鼻あて部分においては、目に対して眼鏡枠の位置を確定する機能が必要であり、確実に眼鏡枠を支える工夫が従来からなされてきた。
【０００３】
しかし、眼鏡枠は長時間にわたり鼻で支えるため、肉体的な痛みや、重量による不快な接触、そこから発生する精神的不快感がともなっていた。
【０００４】
また、鼻が眼鏡枠を確実に支える際、顔の形状のばらつきから鼻あての位置を調整する必要性もあるのだが、柔軟に対応できないという問題があった。
【０００５】
この改善策として、調整機能が備えられた実用新案（２０００−００６２１５）で示された一山、さらに鼻パットの高さを変化出来うる公開特許（特願平９−３４２０９３）、さらには、鼻に対する調整機能とフィット感、弾性力をともに備えた公開特許（特願２００１−３５９４２６）請求項１が発明されるにいたった。
【０００６】
また、よろい部分においては眼鏡枠の傾斜の調整と、テンプル間隔の調整を担うとともに、頭部に対して最適な弾性力を作用させ眼鏡を安定して装着できるような機能が求められるが、改善策の一例として、実用新案（２００１−３２４）が開示されている。
【０００７】
【特許文献１】実用新案（２０００−００６２１５）
【特許文献２】公開特許（特願平９−３４２０９３）
【特許文献３】公開特許（特願２００１−３５９４２６）
【特許文献４】実用新案（２００１−３２４）
【特許文献５】公開特許（特願２０００−７８２０１）
【特許文献１】登録実用新案（第３０８８１９６）
【特許文献１】登録実用新案（第３０９５０８２）
【発明の開示】
【発明が解決しようとする課題】
【０００８】
解決しようとする問題点は、従来の方式に開示された発明では解決されなかった、顔の形状や体感の個人差からくるところの頭部に対する弾性力の、可変、調整機能の要求に答えられていない問題点である。
【０００９】
また、従来、弾性力の発生の方向性は単一であり、複数の異なる方向性を持つ弾性力の合力として機能できない構造の問題点である。
【００１０】
また、上記の特許における発明では解決されなかった、位置調整の際に弾性作用部に過大な応力を加えてしまうという操作性の問題点である。
【００１１】
さらに、登録実用新案（第３０８８１９６）、登録実用新案（第３０９５０８２）、公開特許（特願２０００−７８２０１）、実用新案（２００１−３２４）に開示されたバネ構造のみでは、弾性作用の支点が可変出来ず、応力の分散パターンが一箇所に集中しやすくなり、破断しやすいという問題点である。
【課題を解決するための手段】
【００１２】
本発明は、眼鏡枠の顔に対するフイット調整部分に関した経路に、弾性作用を有する材質と形状からなる、単数及び複数の弾性力発生部を構成し、単数及び複数の弾性力発生の支点を含んだところの弾性力支点調整部をそなえることを最も主要な特徴とする。
【００１３】
また、支点リングの有、無、及び支点リングの装着位置の選定によって、弾性力の支点を調整するとともに、弾性力を変化できる構造とした。
【発明の効果】
【００１４】
本発明の請求項１における複合弾性力を備えた眼鏡枠は、弾性力発生の支点において、支点位置を移動せしめることによって、弾性力を可変できるという利点がある。
【００１５】
また、弾性力発生の支点の主なる形状である、リング形状の半径を変化させると、弾性力を変化させることができ、それはすなわち頭部及び顔の全体をささえる弾性力の変化を得ることになり、顔の形状や体感の個人差からくるところの弾性力の、可変、調整機能の要求に答えることができるという効果を持つ。
【００１６】
また、複数の弾性力発生部を構成し、弾性力の作用の方向性を同一方向あるいは反対方向に設定し複合して構成することで、弾性力のベクトル合力を得ることが出来、単独ではえられない弾性力の特性を得るという効果を持つ。
【００１７】
また、複数の弾性力の支点を複合して構成し、それぞれの支点での弾性力発生力と支点間の距離のバランスを組み合わせることで単独では得られない弾性力の特性を得られる。  
【００１８】
複数の弾性力発生の支点と、複数の位置調整部を組み合わせて構成することで、応力が分散するので、応力が弾性力の一カ所に局部的に集中して破断、破損を起こしてしまうことを防ぐことが出来るという効果を有する。
【００１９】
複数の弾性力発生の支点と、複数の位置調整部を組み合わせて構成することで、眼鏡枠の位置調整点の箇所が増えることになり、眼鏡の傾斜や、テンプル間距離の調整の選択肢が増えることになる。
【００２０】
このように構成された本発明は、従来の発明では解決されなかった問題点を解決したばかりでなく、眼鏡装着者の装着感を大きく改善することになり、また破断、破損の現象に対しても、本発明は、眼鏡枠においておおきな進化を得るという効果を持つ。
【発明を実施するための最良の形態】
【００２１】
弾性力調整機能と弾性作用機能、複合合力弾性作用、応力集中破損防止機能を、最小限のスペースにて実現した。
【実施例１】
【００２２】
図１は、本発明の１実施例の上面図で、図２は側面図、図３は特に鎧における位置調整部の拡大図であって、１は眼鏡リム、２はブリッジ、３は鼻あて母体、４は弾性力発生部、５で表した範囲は位置調整部、６は弾性力支点調整部ａを表している。
【００２３】
また、７が弾性力支点調整部ｂ、８弾性力支点調整部ｃ、９弾性力支点調整部ｄをあらわしている。
【００２４】
６弾性力支点調整部ａ、７弾性力支点調整部ｂ、８弾性力支点調整部ｃの３箇所の弾性力支点調整部を統括するように、９弾性力支点調整部ｄが構成されている。
【００２５】
この構成により、それぞれの弾性力の合力としての作用が得られ、またそれぞれの弾性力と支点間の距離が個別に設定されるため、鎧にかかわる応力がそれぞれの設定に応じてバランスして配分していくことになる。
【００２６】
この効果によって、支点に集中的に力が掛かることで発生する、破断、破損の現象が、本発明によって解消し、また、バランスよく複合された弾性力が頭部に作用する。
【００２７】
また、図１２に示すように１６弾性力支点調整部Ｅの円弧形状の半径Ｒを工具にて可変し１７弾性力支点調整部Ｆとする事で、弾性力の発生の力を可変出来る。
【００２８】
言うなれば、一般的に使用されているスプリングコイルバネのコイル径の大きいものと、小さいものとの差によってバネの弾性力に差が生ずるという物理現象に相当するような現象が得られることになる。
【００２９】
この弾性力の可変は、鎧のクッション弾性力の可変を得たことになり、個々の顔に形状や好みに合わせ、クッション性能およびフィット性、衝撃吸収感覚を選定できるということになる。
【００３０】
この実施例では、弾性力支点調整部のそれぞれに図１２の原理図に示すように、１６弾性力支点調整部Ｅと同じ原理に基づく作用をおこなう。
【００３１】
このように単数でも効果が得られる弾性力支点調整部の機構を、複数箇所に設けることもでき、さらにこの発明の効果が倍増することになる。
【実施例２】
【００３２】
図４は、請求項１における発明による実施例の一つであり断面図である。
１１プラスチックテンプルにおいて４弾性力発生部、５で表した範囲は位置調整部、６弾性力支点調整部をそなえ１２支点リングを１３支点ロック軸と１４支点ロックパイプで挟み込み構成したことを特徴としている。
【実施例３】
【００３３】
図５は、請求項１における発明による実施例の一つであり断面図として示した。
【００３４】
１１プラスチックテンプルにおいて４弾性力発生部、５で表した範囲は位置調整部であり、二カ所の弾性力支点調整部の６弾性力支点調整部ａと１５弾性力支点調整部ｇをそなえ、１２支点リングで１３支点ロック軸に固定している。
【００３５】
この図５の実施例は二カ所の弾性力支点調整部をそれぞれ別個に調整する事が可能であり、より柔軟に弾性力の動作特性を設定できる。
【００３６】
１１プラスチックテンプから伝わる力は、三カ所の４弾性力発生部に変化が加わり弾性力の発生となって拡散される効果が得られるのである。
【００３７】
図５の実施例においては、特に６弾性力支点調整部を変形させることで弾性力の調整が可能となることを特徴としている。
【実施例４】
【００３８】
図６の実施例では、連続した一つの経路に、複数の４弾性発生部と６弾性力支点調整部を配置したことを特徴としている。
【００３９】
さらに１２支点リングを装着した場合と装着しない場合で、弾性力の合力を可変出来、また装着位置を変化すれば、弾性力の合力の変化も得ることが出来る。
【実施例５】
【００４０】
図７の実施例では、４弾性発生部が１１プラスチックテンプルの表側に表出した構成となっている。
【実施例６】
【００４１】
図８は、この特許の取りうる実施例を示している。
【実施例７】
【００４２】
図９は、この特許の取りうる実施例を示した斜視図であり、  図１０は斜視図９の断面図である。
【実施例８】
【００４３】
図１１はこの特許を、眼鏡枠の３鼻あて母体に実施したところの実施例である。
【産業上の利用可能性】
【００４４】
眼鏡枠にあって、顔との接触部分全般に、位置調整とクッション性能の快適さが同時に求められ、位置調整機能と弾性作用機能、弾性力可変機能、応力集中破損防止機能が不可欠な用途にも適用できる。
【図面の簡単な説明】
【００４５】
【図１】請求項１による一実施例の実施方法を示した上面図である。（実施例１）
【図２】請求項１による一実施例の実施方法を示した図２の側面図である。（実施例１）
【図３】請求項１による一実施例の実施方法を示した図１、図２の鎧部の拡大図である。（実施例１）
【図４】請求項１による一実施例の実施方法を示した断面図である。（実施例２）
【図５】請求項１による一実施例の実施方法を示した断面図である。（実施例３）
【図６】請求項１による一実施例の実施方法を示した断面図である。（実施例４）
【図７】請求項１による一実施例の実施方法を示した断面図である。（実施例５）
【図８】請求項１による一実施例の実施方法を示した断面図である。（実施例６）
【図９】請求項１による一実施例の実施方法を示した斜視図である。（実施例７）
【図１０】請求項１による一実施例の実施方法を示した斜視図９における断面図である。（実施例７）
【図１１】請求項１による一実施例の実施方法を示した断面図である。（実施例８）
【図１２】弾性力支点調整部の半径Ｒの大小による弾性力の可変を示す説明図。
【符号の説明】
【００４６】
１    眼鏡リム
２    ブリッジ
３    鼻あて母体
４    弾性力発生部
５    位置調整部
６    弾性力支点調整部ａ
７    弾性力支点調整部b
８    弾性力支点調整部ｃ
９    弾性力支点調整部ｄ
１０  パット
１１  プラスチックテンプル
１２  支点リング
１３  支点ロック軸
１４  支点ロックパイプ
１５  弾性力支点調整部ｇ
１６  弾性力支点調整部Ｅ
１７  弾性力支点調整部Ｆ
【図１】
2006215055.tif 000003
【図２】
2006215055.tif 000004
【図３】
2006215055.tif 000005
【図４】
2006215055.tif 000006
【図５】
2006215055.tif 000007
【図６】
2006215055.tif 000008
【図７】
2006215055.tif 000009
【図８】
2006215055.tif 000010
【図９】
2006215055.tif 000011
【図１０】
2006215055.tif 000012
【図１１】
2006215055.tif 000013
【図１２】
2006215055.tif 000014